(57)【特許請求の範囲】
【請求項１】
モータプレート上にスピンドルモータを固定し、このスピンドルモータにディスクを装着するターンテーブルを取り付けるとともに、前記スピンドルモータに駆動信号を供給するためのフレキシブル配線板を前記モータプレート上に配置したディスク駆動装置において、
前記フレキシブル配線板に対向する部材に突起を形成し、この突起でフレキシブル配線板をモータプレート上に押し付けるようにし、
前記対向する部材は、前記モータプレートと昇降フレームとの間に配置されたスペーサであり、前記昇降フレームは、前記スペーサを介して取り付けられた前記モータプレートを保持しており、前記ディスクをターンテーブルに着脱するために昇降動することを特徴とするディスク駆動装置。
【請求項２】
前記フレキシブル配線板は、両面テープで前記モータプレート上に接合されるとともに、モータプレートの反対面に折り返されていることを特徴とする請求項１記載のディスク駆動装置。
【請求項３】
前記突起は、前記フレキシブル配線板の折り返し付近を押し付けることを特徴とする請求項２記載のディスク駆動装置。
【発明の詳細な説明】
【技術分野】
【０００１】
本発明は、ディスクを駆動させるためのディスク駆動装置に関するものである。
【背景技術】
【０００２】
ＣＤ，ＤＶＤ等の光ディスクは、ディスク駆動装置に装填されて、情報の記録／再生が行われる。ディスク駆動装置は、光ディスクを高速回転させるターンテーブルユニットと、光ディスクの半径方向に光ピックアップを移動して、光ディスクにレーザ光を照射するピックアップヘッドとを備えている。
【０００３】
ターンテーブルユニットには、一端をモータプレート上に固定したスピンドルモータが用いられている。このスピンドルモータの他端には、光ディスクを装着するターンテーブルが取り付けられている。
【０００４】
モータプレート上には、スピンドルモータに駆動信号を供給するためのフレキシブル配線板が配置されている。このフレキシブル配線板は、例えば両面テープ等でモータプレート上に接合されている。フレキシブル配線板の長さが短いと、昇降フレームの昇降動時に、フレキシブル配線板とスピンドルモータとの接続部などにストレスや振動が加わり、破損するおそれがある。このため、例えばフレキシブル配線板の長さを充分に長くするとともに、このフレキシブル配線板をモータプレートの反対面に折り返して、フレキシブル配線板に余裕を与えている。
【０００５】
ところで、スピンドルモータが回転すると、このスピンドルモータから発生する熱により、両面テープの接着力が弱くなって剥がれ、フレキシブル配線板がモータプレートから浮き上がるおそれがある。特にフレキシブル配線板を折り返していると、フレキシブル配線板の弾性により、折り返し付近が浮き上がり易くなる。フレキシブル配線板が浮き上がると、回転中のスピンドルモータに接触して異音が生じたり、あるいはモータプレートとの間で振動音を発生したりする。
【０００６】
特許文献１には、基盤上に配置されたフレキシブル配線板に板状をした浮き上がり防止部材を重ねて、フレキシブル配線板の浮き上がりを防止したディスク駆動装置が記載されている。浮き上がり防止部材は、板バネ材等を屈曲して形成され、フレキシブル配線板とほぼ同じ形状を有している。また、基盤及びフレキシブル配線板に嵌合穴が形成され、浮き上がり防止部材に形成された嵌合突部がこれらの嵌合穴に嵌着され、フレキシブル配線板上に浮き上がり防止部材が重ねられている。
【特許文献１】特開平０６−１１９７５６号公報
【発明の開示】
【発明が解決しようとする課題】
【０００７】
しかしながら、特許文献１では、浮き上がり部材を別途設ける必要があるため、部品点数が増えてしまう。また、浮き上がり防止部材は、フレキシブル配線板とほぼ同じ形状に加工されているため、製造コストが高くなる。更に、浮き上がり防止部材をモータプレートに固定するために、モータプレートやフレキシブル配線板に嵌合穴を形成することが必要であるため、更に製造コストが高くなる。
【０００８】
本発明は、上記問題を解決するためのものであり、部品点数を増やすことなくフレキシブル配線板の浮き上がりを防止することができるディスク駆動装置を提供することを目的とする。
【課題を解決するための手段】
【０００９】
上記目的を達成するため、本発明のディスク駆動装置は、フレキシブル配線板に対向する部材に突起を形成し、この突起でフレキシブル配線板をモータプレート上に押し付けるようにし、対向する部材は、モータプレートと昇降フレームとの間に配置されたスペーサであり、昇降フレームは、スペーサを介して取り付けられたモータプレートを保持しており、ディスクをターンテーブルに着脱するために昇降動することを特徴とする。
【００１０】
前記フレキシブル配線板は、両面テープで前記モータプレート上に接合されるとともに、モータプレートの反対面に折り返されていることが好ましい。
【００１１】
前記突起は、前記フレキシブル配線板の折り返し付近を押し付けることが好ましい。
【発明の効果】
【００１５】
本発明は、フレキシブル配線板に対向する部材に突起を設け、この突起でフレキシブル配線板をモータプレートに押し付けるようにしたので、特別な部品が不要となり、部品点数の増加や組立工数の増加を招くことがない。また、従来から存在する部品に突起を形成するだけであるから、加工及び構造が簡単であり、コストアップを抑えることができる。
【発明を実施するための最良の形態】
【００１６】
図１において、ディスク駆動装置１は、シールド状態に構成された本体ケース２を備えている。この本体ケース２の前面に、ベゼル３が取り付けられている。このベゼル３には、ディスクＤＩを挿入するスロット３ａと、ディスクＤＩのイジェクトを指示するための押しボタン４と、ディスク駆動装置１の動作状態を表示するためのインジケータ５とが設けられている。
【００１７】
本体ケース２には、天板６が取り付けられている。この天板６のほぼ中央には、ディスクＤＩのチャッキング時にチャッキングヘッド１６（図２参照）が僅か入り込むための開口６ａが形成されている。
【００１８】
天板６を取り外した図２において、本体ケース２を上下に仕切るように、ベース１０が本体ケース２に固定されている。このベース１０には、中央から斜め方向に延びた開口１０ａが形成されている。この開口１０ａ内には、板金製の昇降フレーム１１が配置されている。この昇降フレーム１１の表面側には、金属薄板のカバー１１ａが固定されている。カバー１１ａには、中央から斜め方向に延びた開口１１ｂが形成されている。
【００１９】
昇降フレーム１１は、ディスクＤＩを本体ケース２に搬入または搬出するときに、ベゼル３側を支点にして、本体ケース２の中央に位置する先端側が上下方向に揺動する。この昇降動中の衝撃を緩和するために、昇降フレーム１１は、ベース１０と本体ケース２の底板との間に設けた軸と、これに嵌合するゴムリングとからなる緩衝支持構造１２により複数箇所でベース１０に取り付けられている。
【００２０】
昇降フレーム１１の先端部には、ターンテーブルユニット１３が取り付けられている。このターンテーブルユニット１３は、スピンドルモータ１４、ターンテーブル１５、チャッキングヘッド１６を備えている。スピンドルモータ１４には、ターンテーブル１５が取り付けられている。このターンテーブル１５に、チャッキングヘッド１６が一体に形成されている。このチャッキングヘッド１６は、ディスクＤＩの中心孔がチャッキングヘッド１６と一致するチャッキング位置にセットされ、昇降フレーム１１が上昇したときに、ディスクＤＩをチャッキングする。更に、チャッキングヘッド１６には、バネで付勢された複数のチャッキング爪１６ａが設けられており、ディスクＤＩを着脱可能に係止する。
【００２１】
また、昇降フレーム１１にはピックアップヘッド１９が取り付けられている。このピックアップヘッド１９は、昇降フレーム１１の開口１１ｂの下方に配置されており、光ピックアップ２０を有している。ディスクＤＩに対してデータの記録／読み取りを行う際には、ピックアップヘッド１９が開口１１ｂに沿って、ディスクＤＩの半径方向に移動する。
【００２２】
昇降フレーム１１には、ディスクＤＩの下面をガイドするためのディスクガイド片２１が取り付けられている。このディスクガイド片２１は、ディスクＤＩの搬入方向に沿って、先端部がターンテーブル１５の脇まで延びている。また、ディスクガイド片２１には、先端部に向けて徐々に高くなったスロープが形成されており、ディスクＤＩを上に持ち上げることで、チャッキングヘッド１６に衝突することなく、挿入されたディスクＤＩをディスク支持アーム２４のホルダー２４ａへ案内し、本体ケース２内に搬入されるようにしている。
【００２３】
ベース１０上には、ディスクＤＩの搬入および搬出を行うためのディスク支持アーム２４と、スロット３ａから挿入されたディスクＤＩを本体ケース２内へ搬入するための誘引アーム２５とが揺動可能に配置されている。ディスク支持アーム２４は、ホルダー２４ａでディスクＤＩの前端縁を保持し、軸２３を中心にして揺動する。誘引アーム２５は、フランジ付ローラ２５ａでディスクＤＩの後端縁を保持し、軸２６を中心にして揺動する。この誘引アーム２５を揺動させるために、リンクレバー２７が連結されている。
【００２４】
ディスク支持アーム２４、及び誘引アーム２５は、ベース１０の背面側に設けられた周知のディスクローディング機構（図示せず）により駆動され、ディスクＤＩを挟んで搬入／搬出を行う。また、ディスクローディング機構は、昇降フレーム１１に設けられたピン２９ａ，２９ｂを介して、昇降フレーム１１を下降位置、上昇位置（記録／読み取り位置）等の間で揺動させる。
【００２５】
図３に示すように、ピックアップヘッド１９は、昇降フレーム１１の背面に固定された主軸３０及び副軸３１により支持され、ディスクＤＩの半径方向に移動自在となる。また、スレッドモータ３２、ギヤトレイン３３、リードスクリュー３４等が固定されている。スレッドモータ３２の回転は、ギヤトレイン３３を介してリードスクリュー３４に伝達される。リードスクリュー３４が回転すると、ピックアップヘッド１９がディスクＤＩの半径方向に移動する。
【００２６】
ベース１０の背面には、スピンドルモータ１４の駆動を制御する制御基板３７が取り付けられている。この制御基板３７は雌コネクタ３７ａを有している。雌コネクタ３７ａは、フレキシブル配線板３８の一端部３８ａと接続する。このフレキシブル配線板３８は、制御基板３７とスピンドルモータ１４とを接続する。
【００２７】
図４ないし図６に示すように、スピンドルモータ１４は、モータプレート４０の表面に固定される。スピンドルモータ１４は、軸４１と、ロータハブ４２と、ロータマグネット４３と、ステータコイル４４とを備えている。軸４１の下端部は、周知の取付部材４５によってモータプレート４０に固着されている。軸４１は、ロータハブ４２を回転自在に保持する。ロータマグネット４３は、ロータハブ４２の側壁部の内面に固定されている。ステータコイル４４は、ロータマグネット４３の内側で、軸４１に取り付けられている。
【００２８】
昇降フレーム１１の先端部の背面には、２つのネジ穴４８ａと取付穴４９とが形成され、また側端部の背面にはネジ穴４８ｂが形成されている。モータプレート４０の先端部には、各ネジ穴４８ａ，４８ｂに対応する位置にネジ挿通穴５０ａ，５０ｂが形成されている。
【００２９】
モータプレート４０と昇降フレーム１１の間には、第１スペーサ５７及び第２スペーサ５８が配置され、３本のネジ５９で第１及び第２スペーサ５７，５８を介してモータプレート４０が昇降フレーム１１に固定されている。第１及び第２スペーサ５７，５８は、スピンドルモータ１４の高さを位置決めする。
【００３０】
第１スペーサ５７は、２個の円柱状のスペーサ本体部６０と、これらを連結する板状の連結部６１とから構成されている。スペーサ本体部６０は、ネジ穴４８ａとネジ挿通穴５０ａとの間に位置しており、その上面が昇降フレーム１１の背面に当接し、その下面がモータプレート４０の表面に当接する。また、スペーサ本体部６０は、ネジ穴４８ａ及びネジ挿通穴５０ａに対応する位置に、ネジ挿通穴６２を有している。更に、スペーサ本体部６０の下面には、円筒状に突出したボス６３が形成されている。このボス６３の径は、ネジ挿通穴５０ａ，５０ｂの径よりも僅かに小さく形成されている。第２スペーサ５８は、スペーサ本体部６０と同じ形状をしており、ネジ穴４８ｂとネジ挿通穴５０ｂとの間に配置されている。
【００３１】
連結部６１は、モータプレート４０の先端縁にほぼ平行であり、この先端縁のほぼ上方に位置している。この連結部６１の上面には、各取付穴４９に対応する位置にそれぞれ円柱状のボス６４が２個形成されている。そして、連結部６１の下面には、フレキシブル配線板３８の上側基板部６６ａに対向する位置に、半球状の突起６５が３個並んで形成されている。
【００３２】
モータプレート４０の表面には、フレキシブル配線板３８の他端部３８ｂが配置されている。この他端部３８ｂは、モータプレート４０の表面から背面に折り返されており、その表面側に位置する上側基板部６６ａと、背面側に対向する下側基板部６６ｂと、折り返し部６６ｃとからなる。
【００３３】
上側基板部６６ａとモータプレート４０との間には、両面テープ６７（図４参照）が設けられている。両面テープ６７は、上側基板部６６ａをモータプレート４０の表面に接合する。また、上側基板部６６ａの一部は、モータプレート４０とロータハブ４２との間に位置しており、この一部には端子６８が設けられている。端子６８は、ステータコイル４４に電気的に接続している。下側基板部６６ｂは、折り返し部６６ｃから制御基板３７に向かう方向にＵ字形に曲がっている。この折り返し部６６ｃの付近が第１スペーサ５７の突起６５でモータプレート４０に押し付けられる。
【００３４】
次に、スピンドルモータ１４の取付手順について説明を行う。モータプレート４０の表面に、フレキシブル配線板３８の上側基板部６６ａを両面テープ６７で接合する。次いで、下側基板部６６ｂをモータプレート４０の背面に折り返す。そして、スピンドルモータ１４をモータプレート４０に固定する。この際に、ステータコイル４４に端子６８を半田付けする。
【００３５】
スピンドルモータ１４を固定してから、第１スペーサ５７のボス６４を昇降フレーム１１の取付穴４９に嵌め込んで、この第１スペーサ５７を昇降フレーム１１の背面に取り付ける。また、モータプレート４０のネジ挿通穴５０ｂに、第２スペーサ５８を取り付ける。
【００３６】
次いで、第１スペーサ５７を間に挟むようにして、昇降フレーム１１の背面上にモータプレート４０をセットする。そして、第１スペーサ５７のボス６３をネジ挿通穴５０ａに嵌め込んで、モータプレート４０を昇降フレーム１１の背面に取り付ける。この取付後に、各ネジ５９を、その頭部がモータプレート４０の背面側に位置するように、軸部をネジ挿通穴５０ａ，５０ｂ及びネジ挿通穴６２を挿通させた後、ネジ穴４８ａ，４８ｂにそれぞれ螺合させる。これにより、第１及び第２スペーサ５７，５８を挟持した状態で、モータプレート４０が昇降フレーム１１の背面に保持されて、スピンドルモータ１４の高さが位置決めされる。これらの作業が完了してから、フレキシブル配線板３８の一端部３８ａを制御基板３７に接続する。
【００３７】
第１スペーサ５７の突起６５は、フレキシブル配線板３８の折り返し部６６ｃの付近をモータプレート４０に押し付けるから、スピンドルモータ１４から発生する熱で両面テープ６７の接着力が弱くなっても、フレキシブル配線板３８がモータプレート４０から浮き上がることが防止される。
【００３８】
次に、図１〜図３を用いて上記実施形態の作用について説明する。ディスクＤＩの挿入前は、昇降フレーム１１は下降位置にある。ディスクＤＩが本体ケース２内に挿入されると、ディスクＤＩの先端縁がディスク支持アーム２４のホルダー２４ａに支持される。ディスクＤＩがさらに押し込まれると、ディスクローディング機構（図示せず）が作動して、ディスク支持アーム２４が反時計方向に揺動するとともに、誘引アーム２５が時計方向に揺動する。誘引アーム２５は、その先端に取り付けたローラ２５ａがディスクＤ１の後端縁を押す。これにより、ディスクＤＩがチャッキング位置に搬入される。
【００３９】
次いで、昇降フレーム１１が下降位置から記録／読み取り位置に向かって上昇する。これにより、チャッキングヘッド１６がディスクＤＩの中心孔に入り込み、チャッキング爪１６ａで係止される。チャッキングの完了後に、フレキシブル配線板３８を介して、制御基板３７からスピンドルモータ１４のステータコイル４４へ駆動信号が供給される。これにより、ロータハブ４２、ターンテーブル１５、及びチャッキングヘッド１６（スピンドルモータ１４）が回転して、ディスクＤＩを高速回転する。この状態で、スレッドモータ３２が回転することで、ピックアップヘッド１９がディスクＤＩの半径方向に移動して、ディスクＤＩの記録／再生を行なう。
【００４０】
スピンドルモータ１４の回転中に、フレキシブル配線板３８は、両面テープ６７の接着力が弱くなって剥がれ易くなるが、第１スペーサ５７の突起６５でモータプレート４０に押し付けられている。このため、フレキシブル配線板３８がモータプレート４０から剥がれ、スピンドルモータ１４の下面に接触して音を発生したり、或いはモータプレート４０上で振動して音を発生したりすることがない。また、折り返し部６６ｃの弾性が最も強いため、この部分が特に剥がれ易いが、折り返し部６６ｃの付近を突起６５で押さえ付けているから、効果的に剥がれを防止することができる。
【００４１】
ディスクの記録／再生を終了する場合には押しボタン４を押す。この押しボタン４が押されると、スピンドルモータ１４が停止し、またスレッドモータ３２が逆転して、ピックアップヘッド１９を初期位置に復帰させる。次に、ディスクローディング機構が作動し、前述したディスクＤＩの搬入と逆の動作が行われ、ディスクＤＩが搬出される。
【００４２】
上記実施形態では、第１スペーサ５７に突起６５を形成しているが、例えば図７に示す実施形態のように、昇降フレーム１１の背面に突起７０を設け、フレキシブル配線板３８の折り返し部６６ｃの付近を押さえ付けてもよい。この場合には、第１スペーサ５７に、突起７０と接触しないような形状の連結部７１を形成する。
【００４３】
また、図８に示す実施形態のように、カバー１１ａに、昇降フレーム１１とスピンドルモータ１４の間から下方に延びてフレキシブル配線板３８の上側基板部６６ａに当接する突起７３を形成してもよい。更に、突起７３は、折り返し部６６ｃ付近に当接するような形状を有していてもよい。
【００４４】
上記各実施形態では、第１スペーサ５７、昇降フレーム１１、カバー１１ａに突起を設けているが、これら以外にもフレキシブル配線板３８（上側基板部６６ａ）に対向する部材がある場合には、この部材に突起を形成してもよい。
【００４５】
上記実施形態では、フレキシブル配線板３８の上側基板部６６ａを両面テープ６７でモータプレート４０の表面に接合しているが、下側基板部６６ｂも同様に両面テープ６７等でモータプレート４０の背面に接合してもよい。更に、フレキシブル配線板３８をモータプレート４０の背面に折り返しているが、フレキシブル配線板が折り返されていない場合にも本発明を適用することができる。なお、本発明は、両面テープや接着剤等で接合されていない場合にも適用することができる。
【００４６】
本発明は、スロットインタイプのディスク（駆動）装置の他に、トレイタイプに対しても適用することができ、更に、記憶媒体として磁気ディスク等を使用する各種のディスク駆動装置にも適用することができる。
【図面の簡単な説明】
【００４７】
【図１】ディスク駆動装置の斜視図である。
【図２】天板を取り外したディスク駆動装置の上面図である。
【図３】底面を省略したディスク駆動装置の底面図である。
【図４】本発明のディスク駆動装置の断面図である。
【図５】本発明のディスク駆動装置の斜視図である。
【図６】本発明のディスク駆動装置の分解斜視図である。
【図７】昇降フレームに突起を形成した実施形態の断面図である。
【図８】カバーに突起を形成した実施形態の断面図である。
【符号の説明】
【００４８】
１  ディスク駆動装置
１１  昇降フレーム
１１ａ  カバー
１４  スピンドルモータ
３８  フレキシブル配線板
４０  モータプレート
５７  第１スペーサ
６５，７０，７３  突起
【図１】
0005041162.tif 000002
【図２】
0005041162.tif 000003
【図３】
0005041162.tif 000004
【図４】
0005041162.tif 000005
【図５】
0005041162.tif 000006
【図６】
0005041162.tif 000007
【図７】
0005041162.tif 000008
【図８】
0005041162.tif 000009